【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
装置のための通信の方法であって、
チャネル状態情報−基準信号（ＣＳＩ−ＲＳ）のためのタイミングを提供するセルを識別することと、
前記ＣＳＩ−ＲＳのためのＣＳＩ−ＲＳ構成を決定すること、ここにおいて、前記ＣＳＩ−ＲＳ構成は、前記識別されたセルのインジケーションを含む、と、
ユーザ機器（ＵＥ）に前記識別されたセルのインジケーションを備える前記ＣＳＩ−ＲＳ構成を送ることと
を備える、方法。
【請求項２】
前記識別されたセルは、前記ＵＥのためのサービングセルを備え、  前記ＣＳＩ−ＲＳは、前記サービングセルの近隣セルによって送信される、
請求項１に記載の方法。
【請求項３】
前記識別されたセルは、前記ＵＥのためのサービングセルの近隣セルを備え、
前記ＣＳＩ−ＲＳは、前記近隣セルによって送信される、
請求項１に記載の方法。
【請求項４】
前記ＣＳＩ−ＲＳ構成は、前記ＣＳＩ−ＲＳのサブキャリア間隔のインジケーションを備える、
請求項１に記載の方法。
【請求項５】
前記ＣＳＩ−ＲＳ構成は、前記ＣＳＩ−ＲＳを送信するセルと前記ＵＥのためのサービングセルとの間のサブキャリア間隔を考慮するタイミング差のインジケーションを備える、
請求項１に記載の方法。
【請求項６】
前記ＣＳＩ−ＲＳを送信するセルと、前記ＵＥのためのサービングとの間のタイミング差を決定することをさらに備え、
前記ＣＳＩ−ＲＳ構成の前記決定は、前記タイミング差に基づく、
請求項１に記載の方法。
【請求項７】
前記タイミング差は、シンボルタイミング差を備える、
請求項６に記載の方法。
【請求項８】
前記タイミング差は、スロットタイミング差、ミニスロットタイミング差、システムフレーム数タイミング差、またはこれらの任意の組合せを備える、
請求項６に記載の方法。
【請求項９】
前記タイミング差の前記決定は、前記ＵＥから前記タイミング差のインジケーションを受信することを備える、
請求項１に記載の方法。
【請求項１０】
前記ＵＥに前記タイミング差を測定する要求を送ることをさらに備える、
請求項１に記載の方法。
【請求項１１】
前記タイミング差の前記決定は、
前記ＵＥからの前記タイミング差の第１のインジケーションと、少なくとも１つの他のＵＥからの前記タイミング差の少なくとも１つの第２のインジケーションを受信することと、
前記タイミング差の前記第１のインジケーションおよび前記タイミング差の前記少なくとも１つの第２のインジケーションに基づいて前記タイミング差の推定値を生成することと
を備える、請求項１に記載の方法。
【請求項１２】
通信のための装置であって、
メモリデバイスと、
前記メモリデバイスに結合される処理回路と
を備え、前記処理回路は、
チャネル状態情報−基準信号（ＣＳＩ−ＲＳ）のためのタイミングを提供するセルを識別することと、
前記ＣＳＩ−ＲＳのためのＣＳＩ−ＲＳ構成を決定すること、ここにおいて、前記ＣＳＩ−ＲＳ構成は、前記識別されたセルのインジケーションを含む、と、
ユーザ機器（ＵＥ）に前記識別されたセルのインジケーションを備える前記ＣＳＩ−ＲＳ構成を送ることと
を行うように構成される、装置。
【請求項１３】
装置のための通信の方法であって、
ユーザ機器（ＵＥ）でチャネル状態情報基準信号（ＣＳＩ−ＲＳ）構成を受信すること、ここにおいて、前記ＣＳＩ−ＲＳ構成は、ＣＳＩ−ＲＳを受信するためのタイミングを提供するセルのインジケーションを備える、と、
前記示されたセルの前記タイミングを決定することと、
前記決定されたタイミングに基づいて前記ＣＳＩ−ＲＳを受信することと
を備える、方法。
【請求項１４】
通信のための装置であって、
メモリデバイスと、
前記メモリデバイスに結合される処理回路と
を備え、前記処理回路は、
ユーザ機器（ＵＥ）でチャネル状態情報基準信号（ＣＳＩ−ＲＳ）構成を受信すること、ここにおいて、前記ＣＳＩ−ＲＳ構成は、ＣＳＩ−ＲＳを受信するためのタイミングを提供するセルのインジケーションを備える、と、
前記示されたセルの前記タイミングを決定することと、
前記決定されたタイミングに基づいて前記ＣＳＩ−ＲＳを受信することと
を行うように構成される、装置。
【請求項１５】
プロセッサによって実行されると、前記プロセッサに、請求項１または１３のいずれか１項に記載の方法を行わせるためのコードを含む、コンピュータ実行可能コードを記憶する非一時的コンピュータ可読媒体。
【手続補正２】
【補正対象書類名】明細書
【補正対象項目名】０１７７
【補正方法】変更
【補正の内容】
【０１７７】
[0192]前述の開示は例示的な態様を示すが、添付の特許請求の範囲から逸脱することなく、本明細書において様々な変更および修正が成されることができることに留意されたい。本明細書で説明される態様に従った方法の請求項の機能、ステップ、またはアクションは、そうではないと明記されない限り、任意の特定の順序で実施される必要はない。さらに、要素が単数形で説明または特許請求され得るが、単数形への限定が明記されていない限り、複数形が考慮されている。
以下に、本願出願の当初の特許請求の範囲に記載された発明を付記する。
［Ｃ１］
装置のための通信の方法であって、
チャネル状態情報−基準信号（ＣＳＩ−ＲＳ）のためのタイミングを提供するセルを識別することと、
ユーザ機器（ＵＥ）に前記識別されたセルのインジケーションを送ることと
を備える、方法。
［Ｃ２］
前記識別されたセルは、前記ＵＥのためのサービングセルを備える、
［Ｃ１］に記載の方法。
［Ｃ３］
前記ＣＳＩ−ＲＳは、前記サービングセルの近隣セルによって送信される、
［Ｃ２］に記載の方法。
［Ｃ４］
前記識別されたセルは、前記ＵＥのためのサービングセルの近隣セルを備える、
［Ｃ１］に記載の方法。
［Ｃ５］
前記ＣＳＩ−ＲＳは、前記近隣セルによって送信される、
［Ｃ４］に記載の方法。
［Ｃ６］
前記方法は、前記ＣＳＩ−ＲＳのためのＣＳＩ−ＲＳ構成を決定することをさらに備え、
前記ＣＳＩ−ＲＳ構成は、前記識別されたセルの前記インジケーションを含み、  
前記ＵＥに前記インジケーションを前記送ることは、前記ＵＥに前記ＣＳＩ−ＲＳ構成を送ることを備える、
［Ｃ１］に記載の方法。
［Ｃ７］
前記ＣＳＩ−ＲＳ構成は、前記ＣＳＩ−ＲＳのサブキャリア間隔のインジケーションを備える、
［Ｃ６］に記載の方法。
［Ｃ８］
前記ＣＳＩ−ＲＳ構成は、前記ＣＳＩ−ＲＳを送信するセルと前記ＵＥのためのサービングセルとの間のサブキャリア間隔を考慮するタイミング差のインジケーションを備える、
［Ｃ６］に記載の方法。
［Ｃ９］
前記ＣＳＩ−ＲＳを送信するセルと、前記ＵＥのためのサービングとの間のタイミング差を決定することをさらに備え、
前記ＣＳＩ−ＲＳ構成の前記決定は、前記タイミング差に基づく、
［Ｃ６］に記載の方法。
［Ｃ１０］
前記タイミング差は、シンボルタイミング差を備える、
［Ｃ９］に記載の方法。
［Ｃ１１］
前記タイミング差は、スロットタイミング差、ミニスロットタイミング差、システムフレーム数タイミング差、またはこれらの任意の組合せを備える、
［Ｃ９］に記載の方法。
［Ｃ１２］
前記タイミング差の前記決定は、前記ＵＥから前記タイミング差のインジケーションを受信することを備える、
［Ｃ１］に記載の方法。
［Ｃ１３］
前記ＵＥに前記タイミング差を測定する要求を送ることをさらに備える、
［Ｃ１］に記載の方法。
［Ｃ１４］
前記タイミング差の前記決定は、
前記ＵＥからの前記タイミング差の第１のインジケーションと、少なくとも１つの他のＵＥからの前記タイミング差の少なくとも１つの第２のインジケーションを受信することと、
前記タイミング差の前記第１のインジケーションおよび前記タイミング差の前記少なくとも１つの第２のインジケーションに基づいて前記タイミング差の推定値を生成することと
を備える、［Ｃ１］に記載の方法。
［Ｃ１５］
通信のための装置であって、
メモリデバイスと、
前記メモリデバイスに結合される処理回路と
を備え、前記処理回路は、
チャネル状態情報−基準信号（ＣＳＩ−ＲＳ）のためのタイミングを提供するセルを識別することと、
ユーザ機器（ＵＥ）に前記識別されたセルのインジケーションを送ることと
を行うように構成される、装置。
［Ｃ１６］
前記識別されたセルは、前記ＵＥのためのサービングセルを備える、
［Ｃ１５］に記載の装置。
［Ｃ１７］
前記ＣＳＩーＲＳは、前記サービングセルの近隣セルによって送信される、
［Ｃ１６］に記載の装置。
［Ｃ１８］
前記識別されたセルは、前記ＵＥのためのサービングセルの近隣セルを備える、
［Ｃ１５］に記載の装置。
［Ｃ１９］
前記ＣＳＩ−ＲＳは、前記近隣セルによって送信される、
［Ｃ１８］に記載の装置。
［Ｃ２０］
前記処理回路は、前記ＣＳＩ−ＲＳのためのＣＳＩ−ＲＳ構成を決定することを行うようにさらに構成され、
前記ＣＳＩ−ＲＳ構成は、前記識別されたセルのインジケーションを含み、  
前記ＵＥに前記インジケーションを前記送ることは、前記ＵＥに前記ＣＳＩ−ＲＳ構成を送ることを備える、
［Ｃ１５］に記載の装置。
［Ｃ２１］
前記ＣＳＩ−ＲＳ構成は、前記ＣＳＩ−ＲＳのサブキャリア間隔のインジケーションを備える、
［Ｃ２０］に記載の装置。
［Ｃ２２］
前記ＣＳＩ−ＲＳ構成は、前記ＣＳＩ−ＲＳを送信するセルと前記ＵＥのためのサービングセルとの間のサブキャリア間隔を考慮するタイミング差のインジケーションを備える、
［Ｃ２０］に記載の装置。
［Ｃ２３］
前記処理回路は、前記ＣＳＩ−ＲＳを送信するセルと、前記ＵＥのためのサービングとの間のタイミング差を決定することを行うようにさらに構成され、
前記ＣＳＩ−ＲＳ構成の前記決定は、前記タイミング差に基づく、
［Ｃ１５］に記載の装置。
［Ｃ２４］
前記タイミング差の前記決定は、前記ＵＥから前記タイミング差のインジケーションを受信することを備える、
［Ｃ２３］に記載の装置。
［Ｃ２５］
前記処理回路は、
前記ＵＥに前記タイミング差を測定する要求を送ることを行うようにさらに構成される、
［Ｃ１５］に記載の装置。
［Ｃ２６］
通信のための装置であって、
チャネル状態情報−基準信号（ＣＳＩ−ＲＳ）のためのタイミングを提供するセルを識別するための手段と、
ユーザ機器（ＵＥ）に前記識別されたセルのインジケーションを送るための手段と
を備える、装置。
［Ｃ２７］
前記装置は、前記ＣＳＩ−ＲＳのためのＣＳＩ−ＲＳ構成を決定するための手段をさらに備え、
前記ＣＳＩ−ＲＳ構成は、前記識別されたセルのインジケーションを含み、  
前記ＵＥに前記インジケーションを前記送ることは、前記ＵＥに前記ＣＳＩ−ＲＳ構成を送ることを備える、
［Ｃ２６］に記載の装置。
［Ｃ２８］
前記装置は、前記ＣＳＩ−ＲＳを送信するセルと、前記ＵＥのためのサービングとの間のタイミング差を決定するための手段をさらに備え、
前記ＣＳＩ−ＲＳ構成の前記決定は、前記タイミング差に基づく、
［Ｃ２６］に記載の装置。
［Ｃ２９］
前記ＵＥに前記タイミング差を測定する要求を送るための手段をさらに備える、
［Ｃ２６］に記載の装置。
［Ｃ３０］
非一時的コンピュータ可読媒体であって、
チャネル状態情報−基準信号（ＣＳＩ−ＲＳ）のためのタイミングを提供するセルを識別することと、
ユーザ機器（ＵＥ）に前記識別されたセルのインジケーションを送ることと
を行うコードを含むコンピュータ実行可能コードを記憶する、非一時的コンピュータ可読媒体。
［Ｃ３１］
装置のための通信の方法であって、
ユーザ機器（ＵＥ）でチャネル状態情報基準信号（ＣＳＩ−ＲＳ）を受信するためのタイミングを提供するセルのインジケーションを受信することと、
前記ＣＳＩ−ＲＳを受信することと
を備える、方法。
［Ｃ３２］
前記示されたセルの前記タイミングを決定することをさらに備え、
前記ＣＳＩ−ＲＳの前記受信は、前記決定されたタイミングに基づく、
［Ｃ３１］に記載の方法。
［Ｃ３３］
前記示されたセルは、前記ＵＥのためのサービングセルを備える、
［Ｃ３１］に記載の方法。
［Ｃ３４］
前記ＣＳＩ−ＲＳは、前記サービングセルの近隣セルによって送信される、
［Ｃ３３］に記載の方法。
［Ｃ３５］
前記示されたセルは、前記ＵＥのためのサービングセルの近隣セルを備える、
［Ｃ３１］に記載の方法。
［Ｃ３６］
前記ＣＳＩ−ＲＳは、前記近隣セルによって送信される、
［Ｃ３５］に記載の方法。
［Ｃ３７］
前記インジケーションの前記受信は、前記インジケーションを含む前記ＣＳＩ−ＲＳのためのＣＳＩ−ＲＳ構成を受信すること備える、
［Ｃ３１］に記載の方法。
［Ｃ３８］
前記ＣＳＩ−ＲＳ構成に基づいて前記ＣＳＩ−ＲＳを復号することをさらに備える、
［Ｃ３７］に記載の方法。
［Ｃ３９］
前記復号することは、
前記ＣＳＩ−ＲＳ構成に基づいてスクランブリングシーケンスを決定することと、
前記スクランブリングシーケンスに基づいて前記ＣＳＩ−ＲＳを復号することと
をさらに備える、［Ｃ３８］に記載の方法。
［Ｃ４０］
前記ＣＳＩ−ＲＳ構成は、前記ＣＳＩ−ＲＳのサブキャリア間隔のインジケーションを備える、
［Ｃ３７］に記載の方法。
［Ｃ４１］
前記ＣＳＩ−ＲＳ構成は、前記ＣＳＩ−ＲＳを送信するセルと前記ＵＥのためのサービングセルとの間のサブキャリア間隔を考慮するタイミング差のインジケーションを備える、
［Ｃ３７］に記載の方法。
［Ｃ４２］
前記ＣＳＩ−ＲＳ構成は、前記ＵＥのためのサービングセルと、前記示されたセルとの間のタイミング差に基づく、
［Ｃ３７］に記載の方法。
［Ｃ４３］
前記タイミング差を決定することと、
前記サービングセルに前記タイミング差のインジケーションを送ることと
をさらに備える、［Ｃ４２］に記載の方法。
［Ｃ４４］
前記ＣＳＩ−ＲＳに基づいて前記示されたセルに関連付けられたモビリティ動作を実施することをさらに備える、
［Ｃ３１］に記載の方法。
［Ｃ４５］
通信のための装置であって、
メモリデバイスと、
前記メモリデバイスに結合される処理回路と
を備え、前記処理回路は、
ユーザ機器（ＵＥ）でチャネル状態情報基準信号（ＣＳＩ−ＲＳ）を受信するためのタイミングを提供するセルのインジケーションを受信することと、
前記ＣＳＩ−ＲＳを受信することと
を行うように構成される、装置。
［Ｃ４６］
前記処理回路は、前記示されたセルの前記タイミングを決定することを行うようにさらに構成され、
前記ＣＳＩ−ＲＳの前記受信は、前記決定されたタイミングに基づく、
［Ｃ４５］に記載の装置。
［Ｃ４７］
前記インジケーションの前記受信は、前記インジケーションを含む前記ＣＳＩ−ＲＳのためのＣＳＩ−ＲＳ構成を受信すること備える、
［Ｃ４５］に記載の装置。
［Ｃ４８］
前記処理回路は、
前記ＣＳＩ−ＲＳ構成に基づいて前記ＣＳＩ−ＲＳを復号することを行うようにさらに構成される、
［Ｃ４７］に記載の装置。
［Ｃ４９］
前記ＣＳＩ−ＲＳ構成は、前記ＵＥのためのサービングセルと、前記示されたセルとの間のタイミング差に基づく、
［Ｃ４７］に記載の装置。
［Ｃ５０］
前記処理回路は、
前記タイミング差を決定することと、
前記サービングセルに前記タイミング差のインジケーションを送ることと
を行うようにさらに構成される、［Ｃ４９］に記載の装置。
［Ｃ５１］
前記処理回路は、
前記ＣＳＩ−ＲＳに基づいて前記示されたセルに関連付けられたモビリティ動作を実施することをさらに備える、
［Ｃ４５］に記載の装置。
［Ｃ５２］
通信のための装置であって、
ユーザ機器（ＵＥ）でチャネル状態情報基準信号（ＣＳＩ−ＲＳ）を受信するためのタイミングを提供するセルのインジケーションを受信するための手段と、
前記ＣＳＩ−ＲＳを受信するための手段と
を備える、装置。
［Ｃ５３］
前記装置は、前記示されたセルの前記タイミングを決定するための手段をさらに備え、
前記ＣＳＩ−ＲＳの前記受信は、前記決定されたタイミングに基づく、
［Ｃ５２］に記載の装置。
［Ｃ５４］
前記インジケーションの前記受信は、前記インジケーションを含む前記ＣＳＩ−ＲＳのためのＣＳＩ−ＲＳ構成を受信すること備える、
［Ｃ５２］に記載の装置。
［Ｃ５５］
前記ＣＳＩ−ＲＳ構成に基づいて前記ＣＳＩ−ＲＳを復号するための手段をさらに備える、
［Ｃ５４］に記載の装置。
［Ｃ５６］
前記ＣＳＩ−ＲＳ構成は、前記ＵＥのためのサービングセルと、前記示されたセルとの間のタイミング差に基づく、
［Ｃ５４］に記載の装置。
［Ｃ５７］
前記タイミング差を決定するための手段と、
前記サービングセルに前記タイミング差のインジケーションを送るための手段と
をさらに備える、［Ｃ５６］に記載の装置。
［Ｃ５８］
前記ＣＳＩ−ＲＳに基づいて前記示されたセルに関連付けられたモビリティ動作を実施するための手段をさらに備える、
［Ｃ５２］に記載の装置。
［Ｃ５９］
非一時的コンピュータ可読媒体であって、
ユーザ機器（ＵＥ）でチャネル状態情報基準信号（ＣＳＩ−ＲＳ）を受信するためのタイミングを提供するセルのインジケーションを受信することと、
前記ＣＳＩ−ＲＳを受信することと
を行うコードを含む、コンピュータ実行可能コードを記憶する非一時的コンピュータ可読媒体。